(57)【要約】【課題】船舶に荷物・人を乗せて、砂浜を走行し、海面に到るまでの過程で、一人が、船首側等の特定部位を把握する所作が一般的である。従って、砂浜では、容易に、かつ無駄な力を要さず、海上では、航走に抵抗を受けない、着脱方式、又は跳ね上げ方式が採用される。着脱方式では、取付けに手間、経験を要し、跳ね上げ方式は、動き、収容等の邪魔となる。【解決手段】船舶のサイドデッキ・その上縁折曲げ部に取付けたべースに設けられた受入れ筒部と、受入れ筒部に嵌挿される脚部と、脚部に軸支した車輪の構成とした船舶の移動用車輪装置であって、べース及び／又は受入れ筒部を、上縁折曲げ部に設け、べース及び／又は受入れ筒部を、上縁折曲げ部の折曲げ幅に収容し、べースを、サイドデッキに設けるに際し、べースの下側に詰め物を介設し、べースを鉛直方向に垂設する構成とした船舶の移動用車輪装置である。【選択図】図１
2008007049.tif 000002
【特許請求の範囲】
【請求項１】
船舶のサイドデッキ及び／又はサイドデッキの上縁折曲げ部に取付けられるベースと、このべースに設けられた受入れ筒部と、この受入れ筒部に嵌挿される脚部と、この脚部の先端に軸支した車輪とで構成した船舶の移動用車輪装置であって、
このべース及び／又は受入れ筒部を、前記サイドデッキの上縁折曲げ部に設けるとともに、このべース及び／又は受入れ筒部を、前記上縁折曲げ部の折曲げ幅に収容し、またこのべースを、前記サイドデッキに設けるに際し、このべースの下側に詰め物を介設し、このべースを鉛直方向に垂設する構成とした船舶の移動用車輪装置。
【請求項２】
請求項１に記載の船舶の移動用車輪装置において、このべースは、三角形状のべース本体と、このべース本体より折曲げ形成したべース上縁部とで構成し、このべース上縁部を、前記上縁折曲げ部の折曲げ幅に収容するとともに、このべース上縁部と、上縁折曲げ部との間に、詰め物を介在する構成とした船舶の移動用車輪装置。
【請求項３】
請求項１に記載の船舶の移動用車輪装置において、このべースは、三角形状のべース本体と、このべース本体より折曲げ形成したべース上縁部とで構成し、このべース本体に、前記受入れ筒部を設け、この受入れ筒部に嵌挿した脚部及び／又は車輪に対しての抵抗（この脚部及び／又は車輪に対する捻り、捩れ、衝撃等の外的圧力）を、前記べース本体及び／又はべース上縁部との固定を介して担持する構成とした船舶の移動用車輪装置。
【請求項４】
請求項１に記載の船舶の移動用車輪装置において、このベース及び受入れ筒部を、船舶の重心位置に設ける構成とした船舶の移動用車輪装置。
【発明の詳細な説明】
【技術分野】
【０００１】
本発明は、船舶を海岸線の砂浜（海浜）、浜辺等を容易に走行できる船舶の移動用車輪装置に関する。
【背景技術】
【０００２】
周知の如く、車輌より船舶を降ろし、この船舶に荷物及び／又は人を乗せて、砂浜、浜辺等を走行し、海面に到るまでの過程で、一人が、船首側等の特定部位を把握する所作が一般的である。従って、砂浜、浜辺等では、容易に、かつ無駄な力を要さず、走行（搬送）できる船舶の移動用車輪装置であって、しかも海上では、航走（滑走）に抵抗とならないように、跳ね上げ方式、着脱方式等が採用されるので、関連する先行文献を、下記に挙げる。そして、本発明が意図する船舶の移動用車輪装置に関する文献も種々挙げられるが、直接関係する先行文献を下記に示す。
【０００３】
この跳ね上げ方式の一例を挙げると、特開２００５−２１２６８４の「牽引型小型船」がある（文献（１）とする）。この発明は、船体の船尾に可動自在に設けた対の車輪支持装置と、この車輪支持装置に、それぞれ着脱自在に設けられる水中で没する比重を有する空気レスタイヤと、この空気レスタイヤを支持する前記車輪支持装置に係止したロープとで構成し、前記車輪を車輪支持装置に取付ける状態と、ロープにて海中に吊下げる状態とを選択可能にし、船体の運搬時の容易な移動と、海上をゆっくり航走する時や海上で停泊する時に、船体のローリング緩和に利用できる車輪を装備したことを意図する。
【０００４】
また牽引時における力の軽減化、換言すると、荷台に荷物、船舶等を載架した状態で、例えば、人力で搬送可能な手段として、荷台の略センターに車輪を取付ける構成がある。例えば、特開２０００−１７０８０１の「被牽引車両の制動装置」がある（文献（２）とする）。この発明は、フレーム主体のセンターに車軸を設け、この車軸を介して対の車輪を、センターに設ける構成であって、荷台の荷重バランスを確保すること、牽引力の軽減化に寄与すること等を意図する。そして、この発明は、車軸の制動を司るブレーキディスクを、センターまで延設したブレーキワイヤを介して操作可能とすることも意図する。
【０００５】
さらに車輪の構成であって、折りたたみ式のボートに装着された先行文献が挙げられる。例えば、特表２００３−５１１２９７の「折りたたみ式のボート」がある（文献（３）とする）。この発明は、船底の船尾部分に収容可能な対の車輪を設け、この車輪は、短い角柱状の回転可能な脚部と、この脚部に軸支した車輪で構成し、航走時及び／又は折りたたみ時に、底部に車輪を収容可能とし、また砂浜等の移動時に、底部より突出し、それぞれの態様に満足できる構成を提供することを意図する。
【０００６】
そして、先行文献の中で、船舶のサイドデッキに着脱自在に車輪を設けた構成は、検索されなかったが、市場では一部で販売されているので、その概要を、説明する。例えば、船舶の両サイドデッキに差渡した支持軸と、この支持軸より垂下した脚部と、この脚部に軸支した車輪とで構成し、この支持軸を両サイドデッキに固止する構成であり、車輪が船舶の底部に設けられることから、砂浜等の移動の際の利便性、その他の特徴が発揮できる利点がある。しかし、問題は、組立て部品点数が多いこと、組立て及び／又は装備（設置）が煩雑であり、かつ手間を要することが考えられる。
【０００７】
【特許文献１】特開２００５−２１２６８４
【特許文献２】特開２０００−１７０８０１
【特許文献３】特表２００３−５１１２９７
【発明の開示】
【発明が解決しようとする課題】
【０００８】
文献（１）は、跳ね上げ方式であり、便利ではあるが、車輪の場所が、船舶の船尾部分（船尾側）であり、船首部分（船首側）を支持して持上げること及び／又は移動すること等を考慮した場合には、力及び／又は人手を要すること、また移動が困難視されることが考えられる。また跳ね上げた状態では、美観が劣ること、危険性があること等の副次的な問題も抱えている。
【０００９】
また文献（２）と、文献（３）は、機能的な特徴と、パーツとしての機能にそれぞれ留まることから、船舶の移動用車輪装置の全体構成を考慮した場合には、幾分、一面的な改良に留まるに過ぎず、現実の問題として残る。
【００１０】
尚、前述した船舶の両サイドデッキに着脱自在に設けた構成は、評価できる。しかし、前述したように、組立て部品点数が多いこと、組立て及び／又は装備（設置）が煩雑であり、かつ手間を要することが考えられるので、この点における改良の余地がある。
【課題を解決するための手段】
【００１１】
請求項１の発明は、２分割式（全長の略１／２での分割）の船舶において、その船尾側のセンター（分割した船尾側の全長の略１／２の箇所）に車輪を嵌挿方式で設置できる構成とし、船舶に収容した荷物、人があっても、船首側を支持することで、梃子の原理を利用し、船舶を極めて軽く支持可能とすること、移動に力を要さず、何人も砂浜等を走行可能とすること等を意図する。また請求項１の発明は、サイドデッキに設けたべース及び／又は受入れ筒部に、車輪の脚部を嵌挿することで、螺子、止め具等の緊締具を使用しない構成とするとともに、サイドデッキを持上げ、かつ脚部の挿入という簡易操作での設置可能とすること、また逆に引抜きは、サイドデッキを両手で持上げて、脚部及び／又は車輪の自重による落下を介して可能（操作で可能）とすること、さらに海上での引抜きも、片手で、かつ僅かな押下げ（脚部の引抜き）で、かつ手を濡らさず（取付具を設けることで、全く濡らさないことも可能である）に可能とすること等を意図する。そして、この請求項１の発明では、砂浜等の取付け及び／又は移動は、車輪の脚部の受入れ筒部への挿入操作及び／又は船舶の重量で可能とすること、海上の抜け防止及び／又は航走（滑走）は、車輪の浮力で可能とすること等を意図する。尚、請求項１の発明は、従来のこの種の小型船舶への簡易な取付けを図るとともに、船舶の航走（滑走）及び／又は運搬、収容に対して邪魔とならない移動用の車輪装置を提供することを意図する。また請求項１の発明は、僅かな車輪の取付け・取外し時間の短縮化、その操作の容易化が図れる移動用車輪装置を提供すること等を意図する。
【００１２】
請求項１は、船舶のサイドデッキ及び／又はサイドデッキの上縁折曲げ部に取付けられるベースと、このべースに設けられた受入れ筒部と、この受入れ筒部に嵌挿される脚部と、この脚部の先端に軸支した車輪とで構成した船舶の移動用車輪装置であって、
このべース及び／又は受入れ筒部を、前記サイドデッキの上縁折曲げ部に設けるとともに、このべース及び／又は受入れ筒部を、前記上縁折曲げ部の折曲げ幅に収容し、またこのべースを、前記サイドデッキに設けるに際し、このべースの下側に詰め物を介設し、このべースを鉛直方向に垂設する構成とした船舶の移動用車輪装置である。
【００１３】
請求項２の発明は、請求項１の目的を達成すること、この目的を達成するのに最適なベースと、このべース及び／又は受入れ筒部をサイドデッキ内に設置可能とすること、車輌、倉庫等への収容と、受入れ筒部への脚部の嵌挿での取付けを可能とするとともに、その取扱いの容易な移動用車輪装置を提供すること等を意図する。
【００１４】
請求項２は、請求項１に記載の船舶の移動用車輪装置において、このべースは、三角形状のべース本体と、このべース本体より折曲げ形成したべース上縁部とで構成し、このべース上縁部を、前記上縁折曲げ部の折曲げ幅に収容するとともに、このべース上縁部と、上縁折曲げ部との間に、詰め物を介在する構成とした船舶の移動用車輪装置である。
【００１５】
請求項３の発明は、請求項１の目的を達成すること、この目的を達成するのに最適な移動用車輪装置と、この車輪及び／又は脚部に外的な圧力（主として、船舶の長手方向「船尾・船尾方向」の捻り、捩れ、衝撃等）が掛かっても、ベース本体の形状と、このべース本体と船舶のサイドデッキとの相乗構造で、この移動用車輪装置の破壊を防止すること等を意図する。
【００１６】
請求項３は、請求項１に記載の船舶の移動用車輪装置において、このべースは、三角形状のべース本体と、このべース本体より折曲げ形成したべース上縁部とで構成し、このべース本体に、前記受入れ筒部を設け、この受入れ筒部に嵌挿した脚部及び／又は車輪に対しての抵抗（この脚部及び／又は車輪に対する捻り、捩れ、衝撃等の外的圧力）を、前記べース本体及び／又はべース上縁部との固定を介して担持する構成とした船舶の移動用車輪装置である。
【００１７】
請求項４の発明は、請求項１の目的を達成すること、この目的を達成するのに最適なベースの受入れ筒部の提供と、この受入れ筒部の構成を利用して船舶の移動を図りつつ、この移動に関する利点を成就すること、又は船上への荷物の収容の拡充を図ること、その取扱いの容易な移動用車輪装置を提供すること等を意図する。
【００１８】
請求項４は、請求項１に記載の船舶の移動用車輪装置において、このベース及び受入れ筒部を、船舶の重心位置に設ける構成とした船舶の移動用車輪装置である。
【発明の効果】
【００１９】
請求項１の発明は、船舶のサイドデッキ及び／又はサイドデッキの上縁折曲げ部に取付けられるベースと、べースに設けられた受入れ筒部と、受入れ筒部に嵌挿される脚部と、脚部の先端に軸支した車輪とで構成した船舶の移動用車輪装置であって、
べース及び／又は受入れ筒部を、サイドデッキの上縁折曲げ部に設けるとともに、べース及び／又は受入れ筒部を、上縁折曲げ部の折曲げ幅に収容し、またべースを、サイドデッキに設けるに際し、べースの下側に詰め物を介設し、べースを鉛直方向に垂設する構成とした船舶の移動用車輪装置である。
【００２０】
従って、請求項１は、２分割式（全長の略１／２での分割）の船舶において、その船尾側のセンター（分割した船尾側の全長の略１／２の箇所）に車輪を嵌挿方式で設置できる構成とし、船舶に収容した荷物、人があっても、船首側を支持することで、梃子の原理を利用し、船舶を極めて軽く支持可能となること、移動に力を要さず、何人も砂浜等を走行可能となること等の特徴を有する。また請求項１は、サイドデッキに設けたべース及び／又は受入れ筒部に、車輪の脚部を嵌挿することで、螺子、止め具等の緊締具を使用しない構成にできるとともに、サイドデッキを持上げ、かつ脚部の挿入という簡易操作での設置可能となること、また逆に引抜きは、サイドデッキを両手で持上げて、脚部及び／又は車輪の自重による落下を介して可能（操作で可能）となること、さらに海上での引抜きも、片手で、かつ僅かな押下げ（脚部の引抜き）で、かつ手を濡らさずに可能となること等の特徴を有する。そして、この請求項１は、砂浜等の取付け及び／又は移動は、車輪の脚部の受入れ筒部への挿入操作及び／又は船舶の重量で可能となること、海上の抜け防止及び／又は航走（滑走）は、車輪の浮力で可能となること等の実益を有する。尚、請求項１は、従来のこの種の小型船舶への簡易な取付けが図れるとともに、船舶の航走（滑走）及び／又は運搬、収容に対して邪魔とならない移動用の車輪装置を提供できること等の特徴を有する。また請求項１は、僅かな車輪の取付け・取外し時間の短縮化、その操作の容易化が図れる移動用車輪装置を提供できる等の利点を有する。
【００２１】
請求項２の発明は、請求項１に記載の船舶の移動用車輪装置において、べースは、三角形状のべース本体と、べース本体より折曲げ形成したべース上縁部とで構成し、べース上縁部を、上縁折曲げ部の折曲げ幅に収容するとともに、べース上縁部と、上縁折曲げ部との間に、詰め物を介在する構成とした船舶の移動用車輪装置である。
【００２２】
従って、請求項２は、請求項１の目的を達成できること、この目的を達成するのに最適なベースと、このべース及び／又は受入れ筒部をサイドデッキ内に設置可能となること、車輌、倉庫等への収容と、受入れ筒部への脚部の嵌挿での取付けを可能となるとともに、その取扱いの容易な移動用車輪装置を提供できること等の特徴を有する。
【００２３】
請求項３の発明は、請求項１に記載の船舶の移動用車輪装置において、べースは、三角形状のべース本体と、べース本体より折曲げ形成したべース上縁部とで構成し、べース本体に、受入れ筒部を設け、受入れ筒部に嵌挿した脚部及び／又は車輪に対しての抵抗（この脚部及び／又は車輪に対する捻り、捩れ、衝撃等の外的圧力）を、べース本体の長さと及び／又はべース上縁部との固定を介して担持する構成とした船舶の移動用車輪装置である。
【００２４】
従って、請求項３は、請求項１の目的を達成できること、この目的を達成するのに最適な移動用車輪装置と、この車輪及び／又は脚部に外的な圧力（主として、船舶の長手方向「船首・船尾方向」の捻り、捩れ、衝撃等）が掛かっても、ベース本体の形状と、このべース本体と船舶のサイドデッキとの相乗構造で、この移動用車輪装置の破壊を防止できること等の特徴を有する。
【００２５】
請求項４の発明は、請求項１に記載の船舶の移動用車輪装置において、ベース及び受入れ筒部を、船舶の重心位置に設ける構成とした船舶の移動用車輪装置である。
【００２６】
従って、請求項４は、請求項１の目的を達成できること、この目的を達成するのに最適なベースの受入れ筒部の提供と、この受入れ筒部の構成を利用して船舶の移動を図りつつ、この移動に関する利点を成就すること、又は船上への荷物の収容の拡充を図ること、その取扱いの容易な移動用車輪装置を提供できること等の特徴を有する。
【発明を実施するための最良の形態】
【００２７】
本発明の一例を説明する。
【００２８】
図面の説明をすると、図１は本発明の移動用車輪装置を装備した斜視図、図２は図１の平面図、図３は移動用車輪装置において、車輪用の脚部の受入れ機構（ベースと受入れ筒部）との関係を示した鳥瞰図、図４は移動用車輪装置において、サイドデッキに設けた車輪用の脚部の受入れ機構（ベースと受入れ筒部）との関係を示した断面図、図５は図４の要部の拡大断面図、図６は脚部を備えた車輪の斜視図、図７は移動用車輪装置において、この車輪及び／又は脚部に対する捻り、捩れ、衝撃等（衝撃とする）と、受力機構との関係を示した模式図、図８は車輪と脚部を船内に収容する一例を示した斜視図、図９は本発明の移動用車輪装置を装備した他の一例を示した斜視図である。
【００２９】
図において、１は分割式の強化プラスチック等の樹脂製でなる小型船舶（この小型船舶は一例であり、本発明は、船舶全体を含む、以下、船舶とする）で、この船舶１は、２分割式（全長の略１／２での分割）であって、この船尾側１ｂの長手方向（矢印Ｘ）の略１／２の箇所に移動用車輪装置Ａを装備する。
【００３０】
この移動用車輪装置Ａは、船舶１のサイドデッキ１ｃと上縁折曲げ部１００とに設けられる構造であって、この一例では、サイドデッキ１ｃに添接する三角形状のベース本体２と、このべース本体２の長辺部２ａに設けたべース上縁部３とでなるアルミ等の鋼材でなるベース４と、このべース本体２のベースの短辺部２ｂから長辺部２ａに延伸してあり、かつべース上縁部３との間に間隔５を介して設けた受入れ筒部６（チャンネル鋼材の組付け等）とで構成されている。そして、この受入れ筒部６の立上り部６００は、べース上縁部３の幅３００と略同じとするか、僅か突出する構成とし、サイドデッキ１ｃと上縁折曲げ部１００に取付けた際に、この受入れ筒部６が上縁折曲げ部１００の垂部１０１内に収容できる構成とする。即ち、このべース４が、サイドデッキ１ｃと上縁折曲げ部１００に収容される構成とし、コンパクトな構造と、収容の容易化を図ること、又は衝撃に有効な構造とすること等を意図する。そして、この受入れ筒部６をベース本体２の略中心部に設けることで、この受入れ筒部６の強度の向上と、衝撃に有効な構造とする。尚、この例では、べース４を、アルミ等の鋼材で説明したが、船舶１と同じ材質の例もあり得る。
【００３１】
また図中８は車輪用の脚部で、この脚部８は方形筒状とし、強度の確保と、受入れ筒部６への嵌挿を図り、かつガタ防止を図ることを意図する。そして、この脚部８に設けた取付け軸１０には、車輪１１（チューブレスタイヤ）を回転可能に支承する。
【００３２】
そして、図中矢印「Ｙ」は、船舶１の幅方向を示す。
【００３３】
次に、（１）二枚の左右側（用）の各ベース４、左右側の各サイドデッキ１ｃと、その左右の上縁折曲げ部１００への取付けと、（２）このべース４の受入れ筒部６への脚部８の嵌挿とを説明する（以下、左右側は対象であるので、一方のみを説明する）。
（１）最初に、ベース４のべース上縁部３を上縁折曲げ部１００に添接するとともに、このベース４のべース本体２をサイドデッキ１ｃに添接する。そして、この添接の際に、このべース上縁部３と上縁折曲げ部１００に形成される隙間Ｂと、べース本体２とサイドデッキ１ｃに形成される隙間Ｃに詰め物１３、１４（充填及び／又は接着用の樹脂）をする。この詰め物１３により、べース上縁部３を上縁折曲げ部１００に保設する。また詰め物１４により、べース本体２を船舶１（上縁折曲げ部１００の上面に対して）の鉛直方向に保設する。
（２）そして、このべース上縁部３と上縁折曲げ部１００の緊締と、べース本体２とサイドデッキ１ｃの緊締は、それぞれ一本又は数本の止め具１５、１６を利用する。尚、このべース４は、詰め物１３、１４及び／又は各止め具１５、１６を介して船舶１の両サイドデッキ１ｃに強固な取付けを図る（以下、一方のサイドデッキ１ｃとベース４に関して説明する）。さらに、止め具１６の抜け防止と、ベース本体２とサイドデッキ１ｃのより強固な安定した緊締を図るため、船内側の止め具１６にワッシャー１８を介在させる場合もある。尚、以上の例は、後付の例を説明したが、一体成形での構成もあり得る。
【００３４】
このような作業で、船舶１にべース４が取付けられる。そして、車輌（図示せず）より、船舶１を降ろし、分割式のこの例では、船首側１ａと船尾側１ｂとを座部を兼ねる連結パーツ１ｄを介して組立てる。その一例を説明すると、通常は、一人で組立てるので、片手でサイドデッキ１ｃを持上げながら、脚部８を受入れ筒部６に嵌挿し、この脚部８の上端を、サイドデッキ１ｃの裏側に衝止する（図３参照）。そして、この嵌挿を介して脚部８が受入れ筒部６及びべース本体２（べース４）によって、取付けられる。この例では、脚部８は受入れ筒部６に嵌挿されるのみで、原則として、止め具等の緊締具は採用しない。その理由は、装着（取付け、取外し）及び／又は取扱いの容易性と、コストの削減と、合理的な組付け等を意図する。以上の嵌挿した状態では、船舶１及び／又は荷物、人（図示せず）の重量で脱落する虞がないので、これで充分である。また海上では、車輪１１の浮力で脱抜する虞がないので、問題がない。
【００３５】
このようにして、べース４に脚部８を嵌挿した状態で、この脚部８及び／又は車輪１１に対して、図７で矢印「Ｚ」に示したように衝撃が掛かった場合においては、べース本体２の大きさ、べース上縁部３の長さ及び／又は幅と、サイドデッキ１ｃとの連繋等の総合的な受力機構（衝撃を受け止める力）を介して受け止め、この移動用車輪装置Ａの破損を防止できる。
【００３６】
そして、車輪１１を取外す場合は、陸上では、片手及び／又は両手を介してサイドデッキ１ｃを持上げることで、この車輪１１は脚部８との自重で脱抜されて、簡易かつスムーズに取外される。また海上では、脚部８を押下げ、この脚部８を受入れ筒部６より脱抜することで可能である（海中への僅かな浸漬でよい）。そして、図示しないが、脚部８に取手（図示せず）を設け、この取手で取外し、又は取付けを行うことで、さらに利便性と、取扱い・収容等の容易化と、また海上での濡れ防止（気候、衣服等の状況を鑑み）等に有効である。
【００３７】
なお、１７は、車輪１１を取外した場合に、車輪１１が移動しないように収容する収容具を示し、この収容具の設置場所は、船舶１の形状、大きさ、使用用途等の様々な目的に照らし合わせて、適宜変更される。
【図面の簡単な説明】
【００３８】
【図１】図１は本発明の移動用車輪装置を装備した斜視図
【図２】図２は図１の平面図
【図３】図３は移動用車輪装置において、車輪用の脚部の受入れ機構（ベースと受入れ筒部）との関係を示した鳥瞰図
【図４】図４は移動用車輪装置において、サイドデッキに設けた車輪用の脚部の受入れ機構（ベースと受入れ筒部）との関係を示した断面図
【図５】図５は図４の要部の拡大断面図
【図６】図６は脚部を備えた車輪の斜視図
【図７】図７は移動用車輪装置において、この車輪及び／又は脚部に対する捻り、捩れ、衝撃等（衝撃とする）と、受力機構との関係を示した模式図
【図８】図８は車輪と脚部を船内に収容する一例を示した斜視図
【図９】図９は本発明の移動用車輪装置を装備した他の一例を示した斜視図
【符号の説明】
【００３９】
１          船舶
１ａ        船首側
１ｂ        船尾側
１ｃ        サイドデッキ
１ｄ        上縁折曲げ部
１００      重部
２          ベース本体
２ａ        長辺部
２ｂ        短辺部
３          ベース上縁部
３００      幅
４          ベース
５          間隔
６          受入れ部
６００      立上り部
８          脚部
１０        取付け軸
１１        車輪
１３        詰め物
１４        詰め物
１５        止め具
１６        止め具
１７        収容具
１８        ワッシャー
Ｘ          長手方向
Ｙ          幅方向
【図１】
2008007049.tif 000003
【図２】
2008007049.tif 000004
【図３】
2008007049.tif 000005
【図４】
2008007049.tif 000006
【図５】
2008007049.tif 000007
【図６】
2008007049.tif 000008
【図７】
2008007049.tif 000009
【図８】
2008007049.tif 000010
【図９】
2008007049.tif 000011